(57)【要約】      （修正有）【課題】美容用液剤を小さな領域に塗布するのと同時に刺激を加えることができるようにして、微小箇所での容貌を良くする美容を実現することのできる美容用アプリケータを提供する。【解決手段】美容用液剤を染み込ませた形態で保持する保持チップ１３を接触させることによりその美容用液剤を所望の場所に塗布することのできる美容用アプリケータとする。又、保持チップ１３は、手で摘むことにより把持する把持部１１に連結されているシャフト１２の先端に同等の棒形状に形成されて連設されているとともに、継続して微小振動を付与する振動モータ２３を備えることにより、美容用液剤を塗布する際に微小振動による刺激を付加する。【選択図】図２
0003161339.tif 000002
【実用新案登録請求の範囲】
【請求項１】
状態を向上させるための美容用液剤を染み込ませた形態で保持する保持部を接触させることにより前記美容用液剤を所望の場所に塗布することのできる美容用アプリケータであって、
前記保持部は、把持する把持部に連結されている棒状部材の先端に該棒状部材と同等の棒形状に形成されて連設されているとともに、継続して微小振動を付与する振動手段を備えることにより、前記美容用液剤を塗布する際に微小振動による刺激を付加することを特徴とする美容用アプリケータ。
【請求項２】
前記美容用液剤を収容するとともに、前記保持部を収納する状態にして前記把持部に連結することにより当該美容用液剤の収容空間を液密に密閉することのできる容器部を備えることを特徴とする請求項１に記載の美容用アプリケータ。
【請求項３】
前記振動手段は、バッテリーから供給される電力により駆動する構造に構成されており、
前記バッテリーは、開閉可能な空間内に収納されて交換可能にされていることを特徴とする請求項１または２に記載の美容用アプリケータ。
【考案の詳細な説明】
【技術分野】
【０００１】
本考案は、美容用アプリケータに関し、詳しくは、美容用液剤を塗布するのと同時に塗布する領域に物理的な低刺激を加えることのできるものに関する。
【背景技術】
【０００２】
肌の調子を整えて容貌を良くするための美容成分を含む美容用液剤は、コットンなどに染み込ませて所望の場所に接触させることにより塗布するのが一般的であり、また、頭髪の発育を促進して容貌を良くするための育毛成分を含む美容用液剤は、容器から微量づつ吐出するなどして直接塗布することが行われている。
【０００３】
また、美容溶液剤を塗布して肌を手入れする際に使用する器具も提案されている（例えば、特許文献１）。
【先行技術文献】
【特許文献】
【０００４】
【特許文献１】特開２００７−１６７６３９号公報
【考案の概要】
【考案が解決しようとする課題】
【０００５】
しかしながら、いずれの美容用液剤の塗布にあっても、手で把持した状態のまま接触させて塗布するので、肌などの所望の場所に効果的な微刺激を容易に加えることができず、美容用液剤による効能を向上させることができなかった。
【０００６】
特に、近年の化粧方法では、例えば、人工マツゲを接着させるエクステンションなどの施術をマツゲに施すことにより痛んでいることから、そのマツゲの生え際のマブタに栄養や育毛効果のある美容用液剤を塗布しようとしても、所望の場所の小さな領域に集中的かつ効果的に接触させることが困難で、無駄に余分な場所にも塗布してしまう美容方法しか行うことができずに不便である。
【０００７】
そこで、本考案は、美容用液剤を小さな領域に塗布するのと同時に微刺激を加えることができるようにして、微小箇所での容貌を良くする美容を実現することのできる美容用アプリケータを提供することを目的としている。
【課題を解決するための手段】
【０００８】
上記課題を解決する美容用アプリケータの考案は、状態を向上させるための美容用液剤を染み込ませた形態で保持する保持部を接触させることにより前記美容用液剤を所望の場所に塗布することのできる美容用アプリケータであって、前記保持部は、把持する把持部に連結されている棒状部材の先端に該棒状部材と同等の棒形状に形成されて連設されているとともに、継続して微小振動を付与する振動手段を備えることにより、前記美容用液剤を塗布する際に微小振動による微刺激を付加することを特徴とするものである。
【０００９】
この考案では、把持部を把持して棒状部材先端の保持部に美容用液剤を染み込ませて所望の場所に容易に塗布することができ、同時にその保持部を微小振動させて接触させることができる。したがって、小面積の領域でも、棒状部材先端の保持部を容易かつ効率よく接触させることにより、微刺激を付加しつつ美容用液剤を効果的に塗布することができる。
【考案の効果】
【００１０】
このように本考案によれば、棒状部材先端の保持部を微小振動させつつ接触させて染み込ませた美容用液剤を微振動という微刺激と共に容易に塗布することができ、例えば、マツゲの生え際のマブタなどに肌の調子を整える美容成分やマツゲの育毛成分などを含む美容用液剤を微振動による微刺激と共に集中的に塗布してその効能を効果的に得ることができる。したがって、微小箇所の容貌を良くする美容施術を集中的に施すことができ、微小箇所での状態を向上させることができる。
【図面の簡単な説明】
【００１１】
【図１】本考案に係る美容用アプリケータの一実施形態を示す図であり、その概略全体構成を示す概観平面図である。
【図２】その要部の内部構造を示す一部断面透視図である。
【図３】その要部部品を示す斜視図である。
【考案を実施するための形態】
【００１２】
状態を向上させるための美容用液剤を染み込ませた形態で保持する保持部を接触させることにより前記美容用液剤を所望の場所に塗布することのできる美容用アプリケータであって、前記保持部は、把持する把持部に連結されている棒状部材の先端に該棒状部材と同等の棒形状に形成されて連設されているとともに、継続して微小振動を付与する振動手段を備えることにより、前記美容用液剤を塗布する際に微小振動による刺激を付加することを基本構成とするのに加えて、次の構成を備えてもよい。
【００１３】
第１の形態としては、前記美容用液剤を収容するとともに、前記保持部を収納する状態にして前記把持部に連結することにより当該美容用液剤の収容空間を液密に密閉することのできる容器部を備えていてもよい。
【００１４】
この構成では、保持部を容器部内に差し込んで収納することで美容用液剤を染み込ませることができるとともに、その容器部に把持部を連結することで液密に密閉することができる。したがって、コンパクトな状態で容易に携帯することができる。
【００１５】
第２の形態としては、前記振動手段は、バッテリーから供給される電力により駆動する構造に構成されており、前記バッテリーは、開閉可能な空間内に収納されて交換することができるようにしてもよい。
【００１６】
この構成では、保持部を微小振動させるためのバッテリーを交換することもできる。したがって、バッテリーを交換することで継続使用することができ、容器を備える場合には、その容器部内の美容用液剤を補充・詰め替えして継続使用することができる。
【００１７】
第３の形態としては、前記保持部は、前記棒状部材の先端に同一方向に延在する状態で連設されていてもよい。
【００１８】
この構成では、把持部に連設されている棒状部材と同一方向に保持部が延在することにより、コンパクトな構造にすることができるとともに、塗布する面に対して平行の姿勢になるように棒状部材を把持して使用することができる。したがって、手が塗布する箇所の正面に来ることのない状態で鏡を見ながら使用することができる。
【００１９】
以下、図面を参照して、本考案の実施形態について詳細に説明する。図１〜図３は本考案に係る美容用アプリケータの一実施形態を示す図である。
【００２０】
図１および図２において、美容用アプリケータ１０は、外面１１ａを指先で摘むようにして把持する概略円筒形状の把持部１１と、この把持部１１の長さ方向の一端側から同一方向に延在する姿勢で連設されているシャフト（棒状部材）１２と、このシャフト１２の先端に同等の棒形状で略２倍程度の外径になるように固設されているとともに、液体を染み込ませて保持させることのできるフェルト製の保持チップ（保持部）１３と、この保持チップ１３と共にシャフト１２を差し込んで収納させるとともに美容用液剤を収容する空間を内部に形成されている有底の円筒形状の容器部１４と、を備えている。なお、本実施形態では、全体で円筒形状に形成する場合を一例にして説明するが、これに限らず、例えば、断面が多角形になる角筒形状に形成してもよいことは言うまでもない。
【００２１】
ここで、美容用液剤は、肌の調子を整えて容貌を良くするためのビタミンＣやコラーゲンなどの一般的な美容成分を含み、また、発毛・育毛効果のあるプロヘアリンβ４やプロキャピタルなどのペプチド成分、パンテノールなどを含んでいてもよい。また、目によいビルベリーエキス（アントシアニン）を配合しても良く、また、エラスチンを配合することで美肌、アンチエイジング効果も期待することができる。
【００２２】
把持部１１は、シャフト１２が連設されている一端部の内面に雌ネジ１１ｂが刻設されており、容器部１４の開口側端部には小径部１４ａが一体成形されてその外面に把持部１１内面の雌ネジ１１ｂに螺合する雄ネジ１４ｂが刻設されている。この把持部１１の一端部内面の雌ネジ１１ｂの内側には、内部空間を閉塞する円盤部材２１が固設されており、この円盤部材２１の中心を貫通するシャフト１２の保持チップ１３の反対側端部に形成されている有底で短尺な断面四角の角筒形状部１２ａの底側端面が液密性を維持するようにその円盤部材２１に接着固定されている。
【００２３】
このため、美容用アプリケータ１０は、シャフト１２を容器部１４内に差し込んで美容用液剤内に保持チップ１３を浸して染み込ませた状態にしつつ、その容器部１４の小径部１４ａの雄ネジ１４ｂを把持部１１の一端側内面の雌ネジ１１ｂに螺合させて連結することで美容用液剤が収容空間内から漏れてしまわないように不図示のパッキン等と協働して液密性を確保することができ、コンパクトな形態で携帯することができる。なお、この美容用アプリケータ１０は、シャフト１２先端の保持チップ１３には、容器部１４内に限らず、他の容器に溜めている美容用液剤を染み込ませて使用してもよいことは言うまでもない。
【００２４】
また、把持部１１は、絶縁性を有する樹脂材料で作製したフレーム部材２２が内蔵されており、このフレーム部材２２は、断面四角形の異なる面積で順次に連続する段付きの角筒形状に形成されている。フレーム部材２２は、その最小の一端部２２ａがシャフト１２の角筒形状部１２ａの内部に差し込まれて相対回転不能に固設されているとともに、その最大の他端部２２ｂが把持部１１の雌ネジ１１ｂを形成されている外装部材に固設されている。また、フレーム部材２２は、シャフト１２の角筒形状部１２ａが固設されている一端部２２ａ内にそのシャフト１２の延長方向に回転軸２３ａを一致させている振動モータ２３が固設されており、この振動モータ２３は、図３にも図示するように、ハウジング２３ｂが角筒形状に形成されてフレーム部材２２の一端部２２ａ内に固設されることにより相対回転不能に内蔵されている。
【００２５】
振動モータ２３は、回転軸２３ａの先端が半円部材２４の中心に固設されて偏心回転することで振動を発生するように作製されており、ボタン電池（バッテリー）２５からスイッチ２６を介して電力供給を受けて回転駆動し振動するようになっている。
【００２６】
ボタン電池２５は、把持部１１の他端側に形成されている雄ネジ１１ｃに螺合させて着脱することのできるキャップ２９内に交換可能に収納するようになっており、その収納状態では、正電極２５ａが振動モータ２３から延長されている電源ケーブル２３ｃの一方を導通接続させている銅板２７ａに導通接触するとともに、負電極２５ｂは振動モータ２３から延長されている電源ケーブル２３ｃの他方がスイッチ２６を介して導通接続されている銅板２７ｂを導通接触するようになっている。
【００２７】
スイッチ２６は、把持部１１の外面で長さ方向に向かって往復スライド自在に取り付けられているスライダ２６ａと、振動モータ２３の他方の電源ケーブル２３ｃが導通接続されている銅板２７ｃと、ボタン電池２５の負電極２５ｂに接触導通する銅板２７ｂと一体形成されて導通状態のままスライダ２６ａの一端側へのスライドにより押下されてその銅板２７ｃに向かって内方に変位するとともにその押下から開放されたときにはその銅板２７ｃから離隔して導通状態を解消する銅板２７ｄと、を備えて構成されている。なお、銅板２７ａ〜２７ｄは、把持部１１の外装部材やフレーム部材２２のいずれに固定していても良く、銅板２７ｃはフレーム部材２２のスライダ２６ａに対面する箇所に形成されている開口内で揺動することができるように配置するなどすればよい。
【００２８】
このため、美容用アプリケータ１０は、把持部１１を摘んでシャフト１２を容器部１４内から引き出して保持チップ１３に染み込ませた美容用液剤を、例えば、マツゲ根元のマブタ付近に塗布する際には、把持部１１外面のスイッチ２６のスライダ２６ａをスライドさせることにより銅板２７ｄを銅板２７ｃに接触導通させてボタン電池２５の電力を電源ケーブル２３ｃ、銅板２７ａ、２７ｂを介して振動モータ２３に供給して駆動させることができ、半円部材２４を毎分約７０００回などの回転数で偏心回転させることにより、フレーム部材２２やシャフト１２を介して保持チップ１３を継続して微小振動させることができる。なお、この振動数は、振動モータ２３の回転数を変更可能するなどして調整できるようにしても良い。
【００２９】
したがって、美容用アプリケータ１０は、美容用液剤をマツゲ根元付近のマブタの小さな領域に集中的に塗布するのと同時に、そのマブタの塗布領域に振動による微刺激を付加することができ、その美容用液剤を容易かつ効果的にマブタに浸透させてマツゲの状態を向上させることができるとともに、効率の良い育毛効果を得ることができる。また、同時に、マツゲ自体にも集中的に微振動を加えつつ塗布することができ、各種の化粧やその化粧を落とす際に痛んでいるマツゲ自体をまんべんなく効果的に手入れすることもでき、さらに、微小振動によるマブタへのマッサージ効果も得ることができる。
【００３０】
また、この美容用アプリケータ１０は、シャフト１２と同一方向に保持チップ１３が延在することから、マブタに対して平行になるように把持部１１を摘んで（把持して）美容用液剤を塗布する作業を行うことができ、手がマブタの正面に来ることがなく、快適に鏡を見ながら作業することができる。
【００３１】
また、この美容用アプリケータ１０は、把持部１１のキャップ２９を着脱するだけでボタン電池２５を交換することができ、容器部１４内の美容用液剤を詰め替え交換して長期に亘って使用することができる。
【００３２】
このように本実施形態においては、シャフト１２先端の美容用液剤を染み込ませた保持チップ１３を微小振動させつつ、例えば、マツゲ根元の微小領域のマブタに接触させて集中的に塗布することができるのと同時に微刺激を加えることができ、コットンなどのように大量の美容用液剤を染み込ませて無駄にしてしまうことなく、少量の美容用液剤でも効能を効果的に引き出して手入れをすることができる。
【産業上の利用可能性】
【００３３】
これまで本考案の一実施形態について説明したが、本考案は上述の実施形態に限定されず、その技術的思想の範囲内において種々異なる形態にて実施されてよいことは言うまでもない。
【符号の説明】
【００３４】
１０……美容用アプリケータ      １１……把持部      １２……シャフト      １３……保持チップ      １４……容器部      ２２……フレーム部材      ２３……振動モータ      ２３ａ……回転軸      ２３ｂ……ハウジング      ２３ｃ……電源ケーブル      ２４……半円部材      ２５……ボタン電池      ２６……スイッチ      ２６ａ……スライダ      ２９……キャップ
【図１】
0003161339.tif 000003
【図２】
0003161339.tif 000004
【図３】
0003161339.tif 000005